(57)【特許請求の範囲】
【請求項１】
発電または充放電する第１直流電源と、
前記第１直流電源の出力電圧を昇圧する昇圧回路と、
前記昇圧回路の出力電力を消費または変換する負荷装置と、
前記第１直流電源と前記昇圧回路とを接続する一対の第１電力線と、
前記昇圧回路と前記負荷装置とを接続する一対の第２電力線と、
を備えた直流電源システムに適用されるアーク検出装置であって、
前記昇圧回路と並列に接続され、前記昇圧回路を迂回するバイパス電流経路を形成する第１コンデンサと、
前記第１コンデンサに流れる電流が流れ得る電流経路において電流を計測する第１電流計測部と、
前記第１電流計測部により計測された電流の高周波成分に基づきアークの有無を判定する第１アーク判定部と、
を有し、
前記第１電流計測部は前記バイパス電流経路において電流を計測するアーク検出装置。
【請求項２】
前記アーク検出装置が適用される直流電源システムは、さらに、
前記第１直流電源の出力電圧よりも高い電圧で発電または充放電する第２直流電源と、
前記第２直流電源と前記一対の第２電力線とを接続する一対の第３電力線と、
前記一対の第２電力線と前記一対の第３電力線とが接続される分岐点のいずれかと前記昇圧回路との間に設けられ、前記第１直流電源により供給される電流と逆方向に電流が流れることを防ぐ第１逆流防止素子と、
前記一対の第３電力線のいずれかに設けられ、前記第２直流電源により供給される電流と逆方向に電流が流れることを防ぐ第２逆流防止素子と、
を備え、
前記第１逆流防止素子と並列に接続された第２コンデンサと、
前記第２逆流防止素子と並列に接続された第３コンデンサと、
前記第３コンデンサに流れる電流が流れうる電流経路において電流を計測する第２電流計測部と、
前記第２電流計測部により計測された電流の高周波成分に基づきアークの有無を判定する第２アーク判定部と、
をさらに有する、
請求項１に記載のアーク検出装置。
【請求項３】
前記第１アーク判定部と前記第２アーク判定部とは、これら両アーク判定部の機能が単一のアーク検出処理部にて実現される、請求項２に記載のアーク検出装置。
【発明の詳細な説明】
【技術分野】
【０００１】
本発明は、直流電源システムに適用されるアーク検出装置に関する。
【背景技術】
【０００２】
従来、太陽光発電システムは、太陽電池により発電された電力が、直流交流変換器等を含むパワーコンディショニングシステム（以下、単にＰＣＳ（Power Conditioning System）と称する）を介して、電力送電網に供給されるようになっている。このような太陽光発電システムでは、システム内の回路等の故障によりアークを生じることがある。アークが発生した場合、アークの発生部分は高温になり、火災等を起こす恐れがある。そこで、太陽光発電システムは、アークの交流電流を電流センサにて計測することによりアークの発生を検出するアーク検出装置を備えている。
【０００３】
特許文献１に記載の構成では、太陽電池（光電発電機）にて発電された電力が、ＤＣ電力線を介してインバータに供給されている。ＤＣ電力線には電流センサが設けられ、この電流センサが計測する電流に基づいて、アークの発生の有無を検出するようになっている。
【０００４】
一方、複数の太陽電池ストリングを備えた太陽光発電システムでは、それら複数の太陽電池ストリングは、図１１に示すように、接続箱１１２にて並列に接続され、接続箱１１２を介してＰＣＳ１１３と接続されている。また、太陽電池ストリング１１１ａ，１１１ｂは、それぞれ複数の太陽電池モジュール１１５を直列接続することにより形成されている。
【０００５】
ここで、例えば、図１１に示すように、太陽電池ストリング１１１ａの太陽電池モジュール１１５の数が太陽電池ストリング１１１ｂの数よりも少ない場合、太陽電池ストリング１１１ａと接続箱１１２との間には、昇圧箱１１６が設けられる。特許文献２には、昇圧箱１１６としての電源装置Ｇが開示されている。昇圧箱１１６は、太陽電池ストリング１１１ａの出力電圧を、太陽電池ストリング１１１ｂの出力電圧と合致するように昇圧する昇圧回路を備えている。
【先行技術文献】
【特許文献】
【０００６】
【特許文献１】特表２０１４−５０９３９６号公報
【特許文献２】特許号０３５６２１１８号
【発明の概要】
【発明が解決しようとする課題】
【０００７】
ところが、図１１に示すように、昇圧箱１１６を設けた太陽電池ストリング１１１ａにおいて、直列アーク１２１または並列アーク１２２である電気アークが発生した場合、電流センサ１１４にて電気アークの交流電流を検出することができない。これは、昇圧箱１１６は、通常、昇圧チョッパ回路にて構成されており、昇圧チョッパ回路中のインダクタにより電気アークの交流成分が低減されること、電圧安定化のために昇圧チョッパ回路に挿入されているコンデンサに電気アークの交流電流の高周波成分が流れて、電流センサ１１４には流れないことが原因となっている。
【０００８】
この場合の昇圧箱１１６の前後における交流電流の波形、および昇圧箱１１６の動作を示すと図１２のようになる。図１２の(ａ)は、昇圧箱１１６の前段（太陽電池ストリング１１１ａ側）におけるアーク非発生状態およびアーク発生状態の交流電流の波形を示すグラフである。図１２の(ｂ)は、昇圧箱１１６の後段（接続箱１１２側）におけるアーク非発生状態およびアーク発生状態の交流電流の波形を示すグラフである。
【０００９】
図１２（ａ）に示すとおり、アークが発生した場合は電流の高周波成分が増加するにも関わらず、昇圧箱１１６により増加した高周波成分が低減されてしまう。その結果、図１２（ｂ）に示すとおり、アークにより発生した電流の高周波成分を電流センサ１１４では計測することができない。したがって、本発明は、昇圧箱（昇圧回路）が存在していても太陽光発電システムに生じた電気アークを検出することができるアーク検出装置の提供を目的としている。
【課題を解決するための手段】
【００１０】
上記の課題を解決するために、本発明のアーク検出装置は、発電または充放電する第１直流電源と、前記第１直流電源の出力電圧を昇圧する昇圧回路と、前記昇圧回路の出力電力を消費または変換する負荷装置と、前記第１直流電源と前記昇圧回路とを接続する一対の第１電力線と、前記昇圧回路と前記負荷装置とを接続する一対の第２電力線と、を備えた直流電源システムに適用されるアーク検出装置であって、前記昇圧回路と並列に接続され、前記昇圧回路を迂回するバイパス電流経路を形成する第１コンデンサと、前記第１コンデンサに流れる電流が流れ得る電流経路において電流を計測する第１電流計測部と、前記第１電流計測部により計測された電流の高周波成分に基づきアークの有無を判定する第１アーク判定部と、を有する構成である。
【００１１】
上記の構成によれば、第１直流電源は第１電力線、昇圧回路および第２電力線を介して負荷装置と接続され、第１コンデンサは昇圧回路を迂回するバイパス電流経路を形成し、第１電流計測部は、第１コンデンサに流れる電流が流れ得る電流経路において電流を計測する。
【００１２】
したがって、昇圧回路が存在する場合であっても、第１電流計測部は、第１直流電源にて発生したアークの交流電流を計測することができる。これにより、アーク検出装置は、直流電源システムに昇圧回路が存在する場合であっても、直流電源システムにて発生したアークを高精度に検出することができる。
【００１３】
上記のアーク検出装置において、前記アーク検出装置が適用される直流電源システムは、さらに、前記第１直流電源の出力電圧よりも高い電圧で発電または充放電する第２直流電源と、前記第２直流電源と前記一対の第２電力線とを接続する一対の第３電力線と、前記一対の第２電力線と前記一対の第３電力線とが接続される分岐点のいずれかと前記昇圧回路との間に設けられ、前記第１直流電源により供給される電流と逆方向に電流が流れることを防ぐ第１逆流防止素子と、前記一対の第３電力線のいずれかに設けられ、前記第２直流電源により供給される電流と逆方向に電流が流れることを防ぐ第２逆流防止素子と、を備え、前記第１逆流防止素子と並列に接続された第２コンデンサと、前記第２逆流防止素子と並列に接続された第３コンデンサと、前記第３コンデンサに流れる電流が流れうる電流経路において電流を計測する第２電流計測部と、前記第２電流計測部により計測された電流の高周波成分に基づきアークの有無を判定する第２アーク判定部と、をさらに有する、構成としてもよい。
【００１４】
上記の構成によれば、第１直流電源への電流の逆流を防ぐ第１逆流防止素子、および第２直流電源への電流の逆流を防ぐ第２逆流防止素子を備え、かつ第１逆流防止素子と並列に接続された第２コンデンサ、および第２逆流防止素子と並列に接続された第３コンデンサを備えている。
【００１５】
したがって、例えば第１直流電源において並列アークが発生し、第１直流電源の出力電圧が第２直流電源の出力電圧よりも低下して、第１逆流防止素子が逆バイアスの状態となったとしても、第１直流電源において発生した並列アークの交流電流は、第２コンデンサを介して流れる。これにより、第１電流計測部は、第１直流電源において発生した並列アークの交流電流を計測でき、アーク検出装置は、第１直流電源において発生した並列アークを検出することができる。同様にして、第２電流計測部は、第２直流電源において発生した並列アークの交流電流を計測でき、アーク検出装置は、第２直流電源において発生した並列アークを検出することができる。
【００１６】
上記のアーク検出装置において、前記第１電流計測部は前記バイパス電流経路において電流を計測する構成としてもよい。
【００１７】
上記の構成によれば、第１電流計測部は、第１コンデンサにて形成され、昇圧回路を迂回するバイパス電流経路において電流を計測する。したがって、第１電流計測部には、直流の大電流は流れず、アークによる微弱な交流電流のみが流れる。これにより、第１電流計測部は、定格電流が小さいものを使用でき、良好なＳ／Ｎにてアークの電流を計測することができる。
【００１８】
上記のアーク検出装置において、前記第１アーク判定部と前記第２アーク判定部とは、これら両アーク判定部の機能を兼ねる単一のアーク判定部からなる、構成としてもよい。
【００１９】
上記の構成によれば、アーク判定部の数を削減することができる。
【発明の効果】
【００２０】
本発明の構成によれば、太陽光発電システムに昇圧回路が存在していても、太陽光発電システムに生じた電気アークを検出することができる。
【図面の簡単な説明】
【００２１】
【図１】本発明の実施形態のアーク検出装置を備える太陽光発電システムの構成を示す概略の回路図である。
【図２】図１に示した太陽光発電システムが備えるアーク検出装置のアーク検出処理部の構成を示すブロック図である。
【図３】図３の(ａ)は、図１に示した昇圧箱の前段におけるアーク非発生状態およびアーク発生状態の交流電流の波形を示すグラフである。図３の(ｂ)は、図１に示した昇圧箱の後段におけるアーク非発生状態およびアーク発生状態の交流電流の波形を示すグラフである。
【図４】図４の（ａ）は、図１に示した太陽光発電システムにおいて、アークが発生していない場合に電流センサにて計測された電流のＦＦＴ処理波形を示す波形図であり、図４の（ｂ）は、太陽光発電システムにおいて、アークが発生している場合に電流センサにて計測された電流のＦＦＴ処理波形を示す波形図である。
【図５】本発明の他の実施形態のアーク検出装置を備える太陽光発電システムの構成を示す概略の回路図である。
【図６】図１に示した昇圧箱が絶縁型昇圧箱である場合の太陽光発電システムの構成を示す概略の回路図である。
【図７】本発明の他の実施形態のアーク検出装置を備える太陽光発電システムの構成を示す概略の回路図である。
【図８】本発明のさらに他の実施形態のアーク検出装置を備える太陽光発電システムの構成を示す概略の回路図である。
【図９】本発明のさらに他の実施形態のアーク検出装置を備える太陽光発電システムの構成を示す概略の回路図である。
【図１０】本発明のさらに他の実施形態のアーク検出装置を備える太陽光発電システムの構成を示す概略の回路図である。
【図１１】従来のアーク検出装置を備える太陽光発電システムの構成を示す概略の回路図である。
【図１２】図１２の(ａ)は、図１１に示した昇圧箱の前段（太陽電池ストリング側）におけるアーク非発生状態およびアーク発生状態の交流電流の波形を示すグラフである。図１２の(ｂ)は、上記昇圧箱の後段（接続箱側）におけるアーク非発生状態およびアーク発生状態の交流電流の波形を示すグラフである。
【発明を実施するための形態】
【００２２】
〔実施形態１〕
本発明の実施形態を図面に基づいて以下に説明する。図１は、本実施形態のアーク検出装置を備える太陽光発電システムの構成を示す概略の回路図である。図２は、図１に示した太陽光発電システムが備えるアーク検出装置のアーク検出処理部の構成を示すブロック図である。
【００２３】
（太陽光発電システム１の構成）
図１に示すように、太陽光発電システム（直流電源システム）１は、太陽電池ストリング（第１直流電源）１１ａ、昇圧箱（昇圧回路）２２およびパワーコンディショニングシステム（以下、ＰＣＳ（Power Conditioning System）と称する）１３を備えている。
【００２４】
太陽電池ストリング１１ａは、多数の太陽電池モジュール２１が直列接続されて形成されている。各太陽電池モジュール２１は、直列接続された複数の太陽電池セル（図示せず）を備え、パネル状に形成されている。
【００２５】
太陽電池ストリング１１ａはＰ側の電力線路（第１電力線）１７ａおよびＮ側の電力線路（第１電力線）１８ａによって昇圧箱２２と接続され、昇圧箱２２は、Ｐ側の電力線路（第２電力線）１７ｂおよびＮ側の電力線路（第２電力線）１８ｂによって（負荷装置）ＰＣＳ１３と接続されている。昇圧箱２２は、太陽電池ストリング１１ａの出力電圧を昇圧する昇圧回路を備えている。ＰＣＳ１３は、各太陽電池ストリング１１ａから入力した直流電力を交流電力に変換して出力する。
【００２６】
（アーク検出装置の構成）
太陽光発電システム１はアーク検出装置６１を備えている。アーク検出装置６１は、バイパス電流経路２３、コンデンサ（第１コンデンサ）１９、電流センサ（第１電流計測部）３１ａおよびアーク検出処理部（第１アーク判定部）３２（図２参照）を備えている。
【００２７】
バイパス電流経路２３は、一端部である第１の端部が昇圧箱２２と太陽電池ストリング１１ａとの間の電力線路１７ａに接続され、他端部である第２の端部が昇圧箱２２とＰＣＳ１３との間の電力線路１７ｂに接続され、昇圧箱２２を迂回している。
【００２８】
バイパス電流経路２３には、コンデンサ１９と電流センサ３１ａが直列に設けられている。すなわち、コンデンサ１９は、第１電極が電力線路１７ａに接続され、第２電極が電力線路１７ｂに接続され、バイパス電流経路２３を形成している。
【００２９】
コンデンサ１９は、例えば５μＦ以上の静電容量を有する。電流センサ３１ａ、太陽電池ストリング１１ａに発生したアークによりバイパス電流経路２３を流れる交流電流を計測する。
【００３０】
アーク検出処理部３２は、従来周知の構成であり、例えば図２に示すように、増幅器４１、フィルタ４２、Ａ／Ｄ変換部４３およびＣＰＵ（central processing unit）４４を備えている。
【００３１】
増幅器４１は、電流センサ３１ａにて計測された電流を増幅する。フィルタ４２は、バンドパスフィルタ（ＢＰＦ）であり、増幅器４１から出力される電流のうち、所定周波数範囲の電流のみを通過させる。これにより、増幅器４１から出力される電流から、ＰＣＳ１４が備えるコンバータ（ＤＣ−ＤＣコンバータ）のスイッチングノイズを多く含む周波数成分の電流を排除できるようにしている。Ａ／Ｄ変換部４３は、フィルタ４２を通過したアナログの電流の信号をデジタル信号に変換し、ＣＰＵ４４へ入力する。
【００３２】
ＣＰＵ４４は、ＦＦＴ処理部５１およびアーク有無判定部５２を備えている。ＦＦＴ処理部５１は、Ａ／Ｄ変換部４３から入力された電流のデジタル信号に対してＦＦＴを行い、電流のパワースペクトルを生成する。アーク有無判定部５２は、ＦＦＴ処理部５１が生成した電流のパワースペクトルに基づいて、アーク発生の有無を判定する。
【００３３】
（太陽光発電システム１およびアーク検出装置６１の動作）
上記の構成において、太陽光発電システム１およびアーク検出装置６１の動作について以下に説明する。
【００３４】
図３の(ａ)は、昇圧箱２２の前段（太陽電池ストリング１１ａ側）におけるアーク非発生状態およびアーク発生状態の交流電流の波形を示すグラフである。図３の(ｂ)は、昇圧箱２２の後段（ＰＣＳ１３側）におけるアーク非発生状態およびアーク発生状態の交流電流の波形を示すグラフである。
【００３５】
図４の（ａ）は、太陽電池ストリング１１ａにおいて、アークが発生していない場合に電流センサ３１ａにて計測された電流のＦＦＴ処理波形を示す波形図である。図４の（ｂ）は、太陽電池ストリング１１ａにおいて、アークが発生している場合に電流センサ３１ａにて計測された電流のＦＦＴ処理波形を示す波形図である。
【００３６】
太陽電池ストリング１１ａは直流の電力を発電し、太陽電池ストリング１１ａが発電した電力は、昇圧箱２２を介してＰＣＳ１３へ入力される。この場合、太陽電池ストリング１１ａから出力される直流電流は、コンデンサ１９によって阻止され、バイパス電流経路２３を流れない。ＰＣＳ１３は、昇圧箱２２を介して入力された直流電力を交流電力に変換し、出力する。
【００３７】
ここで、太陽電池ストリング１１ａにアークが発生していなければ、昇圧箱２２の前段（太陽電池ストリング１１ａ側）の交流電流の波形は、図３の(ａ)に示すアーク非発生状態の波形となる。したがって、電流センサ３１ａにて計測される電流はアークの交流電流を含まず、この電流をＦＦＴ処理部５１にてＦＦＴ処理した波形は、図４の（ａ）に示すようになる。
【００３８】
一方、太陽電池ストリング１１ａにおいてアークが発生していれば、昇圧箱２２の前段（太陽電池ストリング１１ａ側）の交流電流の波形は、図３の(ａ)に示すアーク発生状態の波形となる。この場合、アークの交流電流は、昇圧箱２２を流れないものの、電力線路１７ａからバイパス電流経路２３を経由して電力線路１７ｂを流れる。したがって、昇圧箱２２の後段（接続箱１２側）の交流電流の波形は、図３の(ｃ)に示すアーク発生状態の波形となる。また、アークの交流電流は、バイパス電流経路２３に設けられている電流センサ３１ａにて計測される。
【００３９】
したがって、電流センサ３１ａが計測する電流は、アークの交流電流を含むものとなり、この電流をＦＦＴ処理部５１にてＦＦＴ処理した波形は、図４の（ｂ）に示すようになる。これにより、アーク検出処理部３２は、電流センサ３１ａから入力された信号に基づいて、太陽電池ストリング１１ａにおけるアークの発生を検出することができる。
【００４０】
（アーク検出装置６１の利点）
上記のように、アーク検出装置６１は、昇圧箱２２が設けられている太陽電池ストリング１１ａに昇圧箱２２に対するバイパス電流経路２３を備え、このバイパス電流経路２３にコンデンサ１９および電流センサ３１ａが直列状態に設けられている。したがって、太陽光発電システム１に昇圧箱２２が存在する場合であっても、太陽電池ストリング１１ａにて発生したアークの交流電流を電流センサ３１ａにて計測することができる。また、バイパス電流経路２３には、直流の大電流は流れず、アークによる微弱な交流電流のみが流れる。したがって、電流センサ３１ａは、定格電流が小さいものを使用でき、良好なＳ／Ｎにてアークの電流を計測することができる。
【００４１】
これにより、アーク検出装置６１は、昇圧箱２２が存在する場合であっても太陽電池ストリング１１ａにて発生したアークを高精度に検出することができる。
【００４２】
なお、図１に示した太陽光発電システム１は、昇圧箱２２が絶縁型昇圧箱である場合、図６に示すように、Ｎ側の電力線路１８ｂにも昇圧箱２２と並列にコンデンサ２０が設けられる。この点は、以下の他の実施形態においても同様である。
【００４３】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４４】
図５は、本発明の他の実施形態のアーク検出装置を備える太陽光発電システムの構成を示す概略の回路図である。
【００４５】
図５に示すように、太陽電池ストリング１１ａに設けられているアーク検出装置６３は、バイパス電流経路２３にコンデンサ１９のみが設けられ、電流センサ３１は、昇圧箱２２とＰＣＳ１３との間の電力線路１７ｂに設けられている。
【００４６】
上記の構成によれば、太陽電池ストリング１１ａに発生したアークの交流電流は、バイパス電流経路２３を経由して電力線路１７ａを流れ、電流センサ３１ａにて計測することができる。これにより、アーク検出装置６３は、昇圧箱２２が存在する場合であっても太陽電池ストリング１１ａにて発生したアークを検出することができる。
【００４７】
〔実施形態３〕
本発明のさらに他の実施形態を図面に基づいて以下に説明する。図７は、本実施形態のアーク検出装置を備える太陽光発電システムの構成を示す概略の回路図である。
【００４８】
（太陽光発電システム１の構成）
図７に示すように、太陽光発電システム１は、複数の太陽電池ストリング１１ａ，１１ｂ、昇圧箱２２、接続箱１２およびパワーコンディショニングシステム（以下、ＰＣＳ（Power Conditioning System）と称する）１３を備えている。なお、太陽光発電システム１が備える太陽電池ストリングの数は、３以上であってもよい。
【００４９】
太陽電池ストリング（第１直流電源）１１ａは、昇圧箱２２および接続箱１２を介してＰＣＳ１３と接続されている。太陽電池ストリング（第２直流電源）１１ｂは接続箱１２を介してＰＣＳ１３と接続されている。接続箱１２は、太陽電池ストリング１１ａと太陽電池ストリング１１ｂとを並列接続している。
【００５０】
具体的には、太陽電池ストリング１１ｂは、太陽電池ストリング１１ｂと接続されたＰ側の電力線路（第３電力線）１７ｃが、Ｐ側の電力線路１７ｂ上の正分岐点１７ｂ１において、電力線路１７ｂと接続され、太陽電池ストリング１１ｂと接続されたＮ側の電力線路（第３電力線）１８ｃが、Ｎ側の電力線路１８ｂ上の負分岐点１８ｂ１において、電力線路１８ｂと接続されている。
【００５１】
接続箱１２の内部には、逆流防止ダイオード（第１逆流防止素子）１６ａおよび逆流防止ダイオード（第２逆流防止素子）１６ｂが設けられている。逆流防止ダイオード１６ａは、昇圧箱２２と正分岐点１７ｂ１との間の電力線路１７ｂに設けられ、太陽電池ストリング１１ａにより供給される電流と逆方向に電流が流れることを防止している。逆流防止ダイオード１６ｂは、太陽電池ストリング１１ｂと正分岐点１７ｂ１との間の電力線路１７ｃに設けられ、太陽電池ストリング１１ｂにより供給される電流と逆方向に電流が流れることを防止している。なお、逆流防止ダイオード１６ａ，１６ｂの配置位置は、電力線路１７ｂ，１７ｃに限定されず、電力線路１８ｂ，１８ｃであってもよい。なお、逆流防止ダイオード１６ａ，１６ｂを電力線路１８ｂ，１８ｃに配置した場合には、アノードがＰＣＳ１３と接続される方向になる。
【００５２】
昇圧箱２２は、太陽電池ストリング１１ａの出力電圧を、太陽電池ストリング１１ｂの出力電圧と合致するように昇圧している。すなわち、太陽電池モジュール２１の数は、太陽電池ストリング１１ａと太陽電池ストリング１１ｂとで異なり、太陽電池ストリング１１ｂよりも太陽電池ストリング１１ａの方が少なくなっている。そこで、昇圧箱２２は、太陽電池ストリング１１ａの出力電圧と太陽電池ストリング１１ｂの出力電圧との差を解消するように、太陽電池ストリング１１ａの出力電圧を昇圧している。
【００５３】
なお、図７は、複数の太陽電池ストリング（第１直流電源、第２直流電源）として、二つの太陽電池ストリング１１ａ，１１ｂを備えた例について示しているが、太陽光発電システム１は、三つ以上の太陽電池ストリングを備えていてもよい。この点は、複数の太陽電池ストリングを備えた他の実施形態においても同様である。
【００５４】
（アーク検出装置の構成）
太陽光発電システム１は、太陽電池ストリング１１ａ，１１ｂ毎にアーク検出装置を備えている。太陽電池ストリング（第１直流電源）１１ａに設けられているアーク検出装置６４は、コンデンサ（第１コンデンサ）１９、コンデンサ１９によって形成されるバイパス電流経路２３、電流センサ（第１電流計測部）３１ａ、アーク検出処理部（第１アーク判定部、第２アーク判定部）３２およびコンデンサ（第２コンデンサ）２５ａを備えている。コンデンサ２５ａは、逆流防止ダイオード１６ａに対して並列に接続されている。
【００５５】
なお、コンデンサ（第２コンデンサ）２５ａが逆流防止ダイオード１６ａに対して並列に接続されていることは、コンデンサ２５ａが逆流防止ダイオード１６ａのみに並列接続されている構成に限定されず、コンデンサ２５ａが、逆流防止ダイオード１６ａおよび逆流防止ダイオード１６ａと直列接続された他の回路要素と並列接続されている構成も含む。この点は、下記のように、コンデンサ（第２コンデンサ）２５ａが逆流防止ダイオード１６ｂに対して並列に接続されている場合についても同様である。
【００５６】
太陽電池ストリング１１ｂに設けられているアーク検出装置６５は、電流センサ（第２電流計測部）３１ｂ、アーク検出処理部３２（第２アーク判定部）３２およびコンデンサ（第３コンデンサ）２５ｂを備えている。電流センサ３１ｂは、太陽電池ストリング１１ｂと接続箱１２との間の例えば電力線路１７ｃに設けられている。電流センサ３１ｂは、太陽電池ストリング１１ｂに発生したアークにより電力線路１７ｂを流れる電流を計測する。コンデンサ２５ｂは、逆流防止ダイオード１６ｂに対して並列に接続されている。コンデンサ２５ａ，２５ｂは、例えば５μＦ以上の静電容量を有する。
【００５７】
なお、アーク検出装置６４，６５は、アーク検出処理部３２を電流センサ３１ａ，３１ｂに対応してそれぞれ備えている構成、または単一のアーク検出処理部３２によって電流センサ３１ａ，３１ｂが計測した電流を時分割にて処理する構成のいずれであってもよい。この点は、２個の電流センサ３１ａ，３１ｂを備えている他の実施形態においても同様である。
【００５８】
（太陽光発電システム１およびアーク検出装置６４，６５の動作）
上記の構成において、太陽光発電システム１およびアーク検出装置６４，６５の動作について以下に説明する。太陽電池ストリング１１ａにおいてアークが発生していれば、アークの交流電流は、昇圧箱２２を流れないものの、バイパス電流経路２３を流れて電流センサ３１ａにて計測される。また、太陽電池ストリング１１ｂにおいてアークが発生していれば、アークの交流電流は電力線路１７ｂを流れて電流センサ３１ｂにて計測される。これにより、アーク検出装置６４，６５は、太陽電池ストリング１１ａ，１１ｂにおけるアークの発生を検出することができる。
【００５９】
また、例えば太陽電池ストリング１１ａにおいて並列アークが発生し、太陽電池ストリング１１ａの出力電圧が太陽電池ストリング１１ｂの出力電圧よりも低下すると、逆流防止ダイオード１６ａは逆バイアスの状態となることがある。昇圧箱２２が機能を発揮できないほどに太陽電池ストリング１１ａの出力電圧が低下すると、逆流防止ダイオード１６ａは逆バイアスとなる。一方、太陽電池ストリング１１ａの出力電圧の低下が昇圧箱２２が機能を発揮できる程度であれば、逆流防止ダイオード１６ａは逆バイアスとならない。
【００６０】
逆流防止ダイオード１６ａが逆バイアスの状態となる場合、逆流防止ダイオード１６ａにコンデンサ２５ａが並列接続されていなければ、太陽電池ストリング１１ａにて発生した並列アークの交流電流は、逆流防止ダイオード１６ａによって阻止される。したがって、電流センサ３１ａは、並列アークの交流電流を計測することができない。
【００６１】
これに対し、アーク検出装置６４では、逆流防止ダイオード１６ａにコンデンサ２５ａが並列接続されている。したがって、逆流防止ダイオード１６ａが逆バイアスの状態であっても、太陽電池ストリング１１ａにて発生した並列アークの交流電流は、コンデンサ２５ａを介して流れるので、電流センサ３１ａにより計測することができる。これにより、アーク検出装置６４は、太陽電池ストリング１１ａにて発生した並列アークを検出することができる。
【００６２】
逆流防止ダイオード１６ａにコンデンサ２５ａを並列接続したことによるアーク検出装置６４の上記動作は、太陽電池ストリング１１ｂにおいて並列アークが発生し、逆流防止ダイオード１６ｂが逆バイアスの状態となった場合のアーク検出装置６５の動作についても同様である。
【００６３】
上記の点は、太陽電池ストリングに逆流防止ダイオードが設けられ、逆流防止ダイオードをバイパスコンデンサが設けられている他の実施形態の構成においても同様である。
【００６４】
（アーク検出装置６４，６５の利点）
上記のように、アーク検出装置６４は、昇圧箱２２が設けられている太陽電池ストリング１１ａに昇圧箱２２に対するバイパス電流経路２３を備え、このバイパス電流経路２３にコンデンサ１９および電流センサ３１ａが直列状態に設けられている。したがって、昇圧箱２２が設けられている太陽電池ストリング１１ａについても、発生したアークの交流電流を電流センサ３１ａにて計測することができる。これにより、アーク検出装置６４は、アーク検出装置６１と同様、昇圧箱２２が存在する場合であっても太陽電池ストリング１１ａにて発生したアークを高精度に検出することができる。
【００６５】
さらに、アーク検出装置６４，６５は、逆流防止ダイオード１６ａ，１６ｂに並列接続されたコンデンサ２５ａ，２５ｂを備えているので、逆流防止ダイオード１６ａまたは逆流防止ダイオード１６ｂが逆バイアスの状態であっても、太陽電池ストリング１１ａにて発生した並列アークの交流電流、および太陽電池ストリング１１ｂにて発生した並列アークの交流電流を電流センサ３１ａ，３１ｂにより計測することができる。これにより、太陽電池ストリング１１ａ，１１ｂにて発生した並列アークを検出することができる。なお、本実施形態において、電流センサ３１ａには微弱な交流電流のみが流れるため、計測範囲が狭く分解能の高い電流センサを用いることが可能である。ただし、太陽電池ストリング１１ａの発電電流を測定することはできない。このことは、電流センサ３１ａをコンデンサ２５ａに直列接続した場合でも同様である。また、電流センサ３１ｂをコンデンサ２５ｂに直列接続した場合も同様である。
【００６６】
一方、電流センサ３１ｂには太陽電池ストリング１１ｂによって発電された直流電流も流れるため、分解能の高い電流センサを用いることはできないが、太陽電池ストリング１１ｂの発電電流を測定することが可能となる。これによりアーク検出用の電流センサと太陽電池ストリングの発電電流測定用の電流センサを１つの電流センサ３１ｂにより賄うことが可能である。
【００６７】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６８】
（太陽光発電システム１およびアーク検出装置６７，６８の構成）
図８は、本実施形態のアーク検出装置を備える太陽光発電システム１の構成を示す概略の回路図である。本実施形態において、太陽光発電システム１は前記のアーク検出装置６４，６５に代えてアーク検出装置６７，６８を備えている。
【００６９】
図７に示したアーク検出装置６４，６５では、コンデンサ２５ａ，２５ｂは、逆流防止ダイオード１６ａ，１６ｂのみに対して並列接続されていた。これに対し、アーク検出装置６７では、図８に示すように、コンデンサ２５ａは、第１電極が、昇圧箱２２と接続箱１２（逆流防止ダイオード１６ａ）との間であって、バイパス電流経路２３と電力線路１７ｂとの接続点と接続箱１２との間に接続され、第２電極が、昇圧箱２２と接続箱１２との間の電力線路１８ｂに接続されている。また、コンデンサ２５ｂは、第１電極が、電流センサ３１ｂと接続箱１２（逆流防止ダイオード１６ｂ）との間の電力線路１７ｃに接続され、第２電極が、太陽電池ストリング１１ｂと接続箱１２との間の電力線路１８ｃと接続されている。
【００７０】
ここで、電力線路１７ｂは、ＰＣＳ１３（ＰＣＳ１３の内部のコンデンサ）を介して電力線路１８ｂと接続されている。したがって、コンデンサ（第２コンデンサ）２５ａは、少なくとも逆流防止ダイオード（第１逆流防止素子）１６ａと並列に接続されている。同様に、電力線路１７ｃは、ＰＣＳ１３（ＰＣＳ１３の内部のコンデンサ）を介して電力線路１８ｃと接続されている。したがって、コンデンサ（第３コンデンサ）２５ｂは、少なくとも逆流防止ダイオード（第２逆流防止素子）１６ｂと並列に接続されている。アーク検出装置６４，６５の他の構成は、前記のアーク検出装置６４，６５と同様である。
【００７１】
（アーク検出装置６７，６８の動作）
上記の構成において、アーク検出装置６７，６８の動作について以下に説明する。太陽電池ストリング１１ａにおいてアークが発生している場合、および太陽電池ストリング１１ｂにおいてアークが発生している場合、アーク検出装置６７，６８は、アーク検出装置６４，６５（アーク検出装置６１，６３）と同様にして、太陽電池ストリング１１ａ，１１ｂにおけるアークの発生を検出することができる。
【００７２】
また、逆流防止ダイオード１６ａまたは逆流防止ダイオード１６ｂが逆バイアスの状態になった場合であっても、同様に、電流センサ３１ａまたは電流センサ３１ｂは、並列アークの交流電流を計測でき、アーク検出装置６７またはアーク検出装置６８は、太陽電池ストリング１１ａまたは太陽電池ストリング１１ｂにて発生した並列アークを検出することができる。
【００７３】
（アーク検出装置６７，６８の利点）
アーク検出装置６７は、アーク検出装置６４（アーク検出装置６１）と同様、太陽光発電システム１に昇圧箱２２が存在する場合であっても、太陽電池ストリング１１ａにて発生したアークを高精度に検出することができる。
【００７４】
さらに、アーク検出装置６７，６８は、アーク検出装置６４，６５と同様、逆流防止ダイオード１６ａまたは逆流防止ダイオード１６ｂが逆バイアスの状態であっても、太陽電池ストリング１１ａにて発生した並列アークの交流電流、および太陽電池ストリング１１ｂにて発生した並列アークを高精度に検出することができる。
【００７５】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００７６】
（太陽光発電システム１およびアーク検出装置６６，６５の構成）
図９は、本発明のさらに他の実施形態のアーク検出装置を備える太陽光発電システムの構成を示す概略の回路図である。図９に示すように、本実施形態において、太陽光発電システム１は、アーク検出装置６６，６５を備えている。太陽電池ストリング１１ａに設けられているアーク検出装置６６は、図７に示したアーク検出装置６４とは異なり、バイパス電流経路２３にコンデンサ１９のみが設けられ、電流センサ３１ａは、昇圧箱２２（バイパス電流経路２３の電力線路１７ｂとの接続点）と接続箱１２（並列アーク接続された逆流防止ダイオード１６ａおよびコンデンサ２５ａ）との間の電力線路１７ｂに設けられている。アーク検出装置６６の他の構成は、アーク検出装置６４と同様である。
【００７７】
（アーク検出装置６６，６５の利点）
アーク検出装置６７は、アーク検出装置６３（アーク検出装置６１）と同様、太陽光発電システム１に昇圧箱２２が存在する場合であっても、太陽電池ストリング１１ａにて発生したアークを高精度に検出することができる。
【００７８】
さらに、アーク検出装置６６，６５は、図７に示したアーク検出装置６４，６５と同様、逆流防止ダイオード１６ａまたは逆流防止ダイオード１６ｂが逆バイアスの状態であっても、太陽電池ストリング１１ａにて発生した並列アーク、および太陽電池ストリング１１ｂにて発生した並列アークを高精度に検出することができる。
【００７９】
〔実施形態６〕
本発明のさらに他の実施形態を図面に基づいて以下に説明する。なお、説明の便宜上、前記実施形態にて説明した部材と同じ機能を有する部材については、同じ符号を付記し、その説明を省略する。
【００８０】
（太陽光発電システム１およびアーク検出装置６９，６８の構成）
図１０は、本発明のさらに他の実施形態のアーク検出装置を備える太陽光発電システムの構成を示す概略の回路図である。図１０に示すように、本実施形態において、太陽光発電システム１は、アーク検出装置６９，６８を備えている。太陽電池ストリング１１ａに設けられているアーク検出装置６９は、図８に示したアーク検出装置６７とは異なり、バイパス電流経路２３にコンデンサ１９のみが設けられ、電流センサ３１ａは、昇圧箱２２（バイパス電流経路２３の電力線路１７ｂとの接続点）と接続箱１２（逆流防止ダイオード１６ａ）との間の電力線路１７ｂに設けられている。なお、コンデンサ２５ａの第１電極は、電流センサ３１ｂと接続箱１２（逆流防止ダイオード１６ａ）との間の電力線路１７ｂに接続されている。アーク検出装置６９の他の構成は、アーク検出装置６７と同様である。
【００８１】
（アーク検出装置６９，６８の利点）
アーク検出装置６９は、アーク検出装置６８と同様、太陽光発電システム１に昇圧箱２２が存在する場合であっても、太陽電池ストリング１１ａにて発生したアークを高精度に検出することができる。
【００８２】
さらに、アーク検出装置６９，６８は、図８に示したアーク検出装置６７，６８と同様、逆流防止ダイオード１６ａまたは逆流防止ダイオード１６ｂが逆バイアスの状態であっても、太陽電池ストリング１１ａにて発生した並列アーク、および太陽電池ストリング１１ｂにて発生した並列アークを高精度に検出することができる。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８４】
１      太陽光発電システム（直流電源システム）
１１ａ    太陽電池ストリング（第１直流電源）
１１ｂ    太陽電池ストリング（第２直流電源）
１２      接続箱
１３      パワーコンディショニングシステム（負荷装置）
１６ａ    逆流防止ダイオード（第１逆流防止素子）
１６ｂ    逆流防止ダイオード（第２逆流防止素子）
１７ａ    電力線路（第１電力線）
１８ａ    電力線路（第１電力線）
１７ｂ    電力線路（第２電力線）
１７ｂ１  正分岐点
１８ｂ    電力線路（第２電力線）
１８ｂ１  負分岐点
１７ｃ    電力線路（第３電力線）
１８ｃ    電力線路（第３電力線）
１９      コンデンサ（第１コンデンサ）
２１      太陽電池モジュール
２２      昇圧箱（昇圧回路）
２３      バイパス電流経路
２５ａ    コンデンサ（第２コンデンサ）
２５ｂ    コンデンサ（第３コンデンサ）
３１ａ    電流センサ（第１電流計測部）
３１ｂ    電流センサ（第２電流計測部）
３２      アーク検出処理部（第１アーク判定部、第２アーク判定部）
61,63〜69  アーク検出装置
【要約】      （修正有）【課題】昇圧回路が備える太陽光発電システムの電気アークを検出するすることができるアーク検出装置を提供する。【解決手段】アーク検出装置は、太陽電池ストリング１１ａを有する太陽光発電システム１の昇圧箱２２を迂回するバイパス電流経路２３を形成するコンデンサ１９、コンデンサ１９を流れる電流を計測する電流センサ３１ａ、および電流センサ３１ａが計測する電流の高周波成分に基づきアークの有無を判定する第１アーク判定部を備える。【選択図】図１【図１】
0006037071.tif 000002
【図２】
0006037071.tif 000003
【図３】
0006037071.tif 000004
【図４】
0006037071.tif 000005
【図５】
0006037071.tif 000006
【図６】
0006037071.tif 000007
【図７】
0006037071.tif 000008
【図８】
0006037071.tif 000009
【図９】
0006037071.tif 000010
【図１０】
0006037071.tif 000011
【図１１】
0006037071.tif 000012
【図１２】
0006037071.tif 000013